(57)【要約】【課題】用紙を反転搬送する際、その姿勢変化に伴う用紙後端の跳ね上がりによる用紙後端の汚れの発生を防ぐことができる用紙搬送装置を提供する。【解決手段】用紙Ｓを反転させて搬送し得る正逆転可能な反転ローラ２９と、相互に接触して形成されるニップに用紙Ｓが挿通された際にその画像形成面及び非画像形成面とそれぞれ接触する第１及び第２再搬送ローラ１ａ，１ｂにより構成され、反転ローラ２９により反転搬送された用紙を画像形成部５に再搬送する再搬送ローラ対１と、再搬送ローラ対１のニップを通過した用紙Ｓを搬送方向を変えて案内する弯曲ガイド２と、再搬送ローラ対１と弯曲ガイド２の間に設けられ、用紙Ｓがニップを通過した後に弯曲ガイド２の案内によって姿勢が変わって用紙Ｓの後端が再搬送ローラ対１のいずれにも接触しないように、用紙Ｓを姿勢変化に抗って押さえ込む用紙押さえ部材３と、を含む。【選択図】図１
2015016978.tif 000002
【特許請求の範囲】
【請求項１】
用紙の両面に画像を形成する際に、画像形成部に前記用紙を搬送してその片面に画像を形成し、当該用紙を反転させて再度、前記画像形成部に搬送する機構を備えた用紙搬送装置において、
片面に画像が形成された前記用紙を反転させて搬送し得る正逆転可能な反転ローラと、
相互に接触してニップを形成し当該ニップに前記用紙が挿通された際にその画像形成面及び非画像形成面とそれぞれ接触する第１及び第２再搬送ローラにより構成され、前記反転ローラにより反転されて搬送された前記用紙を前記画像形成部に再搬送する再搬送ローラ対と、
前記再搬送ローラ対の前記ニップを通過した前記用紙を搬送方向を変えて案内する弯曲ガイドと、
前記再搬送ローラ対と前記弯曲ガイドとの間に設けられ、前記用紙が前記ニップを通過した後に前記弯曲ガイドの案内によって姿勢が変わって前記用紙の後端が前記再搬送ローラ対のいずれにも接触しないように、前記用紙を姿勢変化に抗って押さえ込む用紙押さえ部材と、
を含むことを特徴とする用紙搬送装置。
【請求項２】
さらに、前記用紙押さえ部材の押さえ力を変更可能とする押さえ力可変機構を含み、該押さえ力可変機構が、前記用紙の剛性が強くなるにつれて前記押さえ力が強くなるように紙種に応じて前記押さえ力を変更することを特徴とする請求項１記載の用紙搬送装置。
【請求項３】
前記用紙押さえ部材で前記用紙を押さえ込む位置が、前記再搬送ローラ対のニップ延長線上でニップに近接した位置であることを特徴とする請求項１記載の用紙搬送装置。
【請求項４】
前記用紙押さえ部材は、前記用紙を反転させて再度前記画像形成部に搬送する搬送経路とそれ以外の搬送経路とに分岐して、それぞれの搬送経路に前記用紙を向かわせる分岐爪であることを特徴とする請求項１記載の用紙搬送装置。
【請求項５】
さらに、前記再搬送ローラ対の前記用紙の再搬送方向上流側に設けられ、前記用紙の後端の通過を検出する用紙後端検出部を含み、
前記用紙押さえ部材は、前記用紙後端検出部による前記用紙の後端の通過の検出に応じて変位して、前記用紙を押さえ込むことを特徴とする請求項１から４のいずれか１項に記載の用紙搬送装置。
【請求項６】
前記用紙後端検出部は、
前記用紙の再搬送経路と交差する位置に配され、再搬送されてきた前記用紙の先端が当たり押されて回動すると共に前記用紙の後端が通過すると元の位置に復帰するセンサアームと、
該センサアームの回動に連動して回動し前記用紙押さえ部材を解放すると共に、前記センサアームの元の位置への復帰に応じて、前記用紙押さえ部材が前記用紙を押さえ込むように押圧する押圧アームと、
からなる構造であることを特徴とする請求項５記載の用紙搬送装置。
【請求項７】
前記再搬送ローラ対の前記用紙の再搬送方向上流に設けられ、前記用紙の再搬送方向の剛性を高めるための腰付け部材を備えたことを特徴とする請求項６記載の用紙搬送装置。
【請求項８】
請求項１から７のいずれか１項に記載の用紙搬送装置を備えたことを特徴とする画像形成装置。
【発明の詳細な説明】
【技術分野】
【０００１】
本発明は、用紙搬送装置及び画像形成装置に関し、特に、片面に画像が形成された用紙を反転させて画像形成部に向かわせる用紙搬送装置及び該用紙搬送装置を用いた画像形成装置に関するものである。
【背景技術】
【０００２】
従来の画像形成装置において、片面に画像が形成された用紙を反転させるための反転経路を有する用紙搬送装置が備えられているものがある。このような用紙搬送装置において、反転経路の上流にある第一搬送ローラ対を用紙が通過するとき、用紙画像面に付着したトナー粒子が用紙の画像形成面に接する側の第一搬送ローラに転移し、さらに、対となる搬送ローラに再転移する場合がある。
【０００３】
その際、搬送される用紙が剛性の強い用紙の場合、用紙の腰が強いため、搬送経路で強制的に姿勢変化させられた用紙に元に戻ろうとする力が生じ、用紙が第一搬送ローラ対のニップを抜ける際に、次のような問題が生じることがある。すなわち、ニップから開放された用紙の後端が、反転経路の湾曲部外郭側に跳ね上がることで第一搬送ローラ対に接触し、第一搬送ローラ対に転移したトナーを用紙の後端が掻き取ってしまい、用紙後端が汚れてしまうという問題である。
【０００４】
特許文献１（特開２０１２−１４８８６４号公報）に記載の発明では、画像形成装置の反転搬送経路において、再搬送ローラ対における第１再搬送ローラとの接触による用紙後端汚れを防止するために、用紙が再搬送ローラ対を通過した際、搬送ガイドにより、用紙の後端を再搬送ローラ対における第２再搬送ローラ側に押圧している。
【発明の概要】
【発明が解決しようとする課題】
【０００５】
しかし、上記特許文献１記載の発明では、反転経路部の湾曲部内郭方向から用紙を押圧しているため、姿勢変化に伴う用紙後端の跳ね上がりが避けられない。そのため、この跳ね上がりによって用紙が再搬送ローラ対に接触し、用紙後端に汚れが発生してしまうという問題がある。
【０００６】
そこで、本発明は、このような現状に鑑みてなされたものであり、用紙を反転搬送する際、用紙の姿勢変化に伴う用紙後端の跳ね上がりによる用紙後端の汚れの発生を防ぐことができる用紙搬送装置を提供することを目的とするものである。
【課題を解決するための手段】
【０００７】
上述した課題を解決するため、請求項１に係る発明の用紙搬送装置は、
用紙の両面に画像を形成する際に、画像形成部に前記用紙を搬送してその片面に画像を形成し、当該用紙を反転させて再度、前記画像形成部に搬送する機構を備えた用紙搬送装置において、
片面に画像が形成された前記用紙を反転させて搬送し得る正逆転可能な反転ローラと、
相互に接触してニップを形成し当該ニップに前記用紙が挿通された際にその画像形成面及び非画像形成面とそれぞれ接触する第１及び第２再搬送ローラにより構成され、前記反転ローラにより反転されて搬送された前記用紙を前記画像形成部に再搬送する再搬送ローラ対と、
前記再搬送ローラ対の前記ニップを通過した前記用紙を搬送方向を変えて案内する弯曲ガイドと、
前記再搬送ローラ対と前記弯曲ガイドとの間に設けられ、前記用紙が前記ニップを通過した後に前記弯曲ガイドの案内によって姿勢が変わって前記用紙の後端が前記再搬送ローラ対のいずれにも接触しないように、前記用紙を姿勢変化に抗って押さえ込む用紙押さえ部材と、
を含むことを特徴とする。
【発明の効果】
【０００８】
本発明によれば、再搬送ローラ対と弯曲ガイドとの間に用紙押さえ部材が設けられている。この用紙押さえ部材は、用紙が再搬送ローラ対のニップを通過した後に弯曲ガイドの案内によって姿勢が変わって用紙の後端が再搬送ローラ対のいずれにも接触しないように、用紙を姿勢変化に抗って押さえ込む。それにより、用紙を反転搬送する際、その姿勢変化に伴う用紙後端の跳ね上がりによる用紙後端の汚れの発生を防ぐことができる。
【図面の簡単な説明】
【０００９】
【図１】本発明の用紙搬送装置の概念を説明する概念図である。
【図２】本発明の用紙搬送装置を用いた画像形成装置の構成を示す模式図である。
【図３】本発明に係る用紙搬送装置の第１の実施形態の構成を示す模式図である。
【図４】図３の用紙搬送装置における反転排紙装置の部分拡大図である。
【図５】本発明に係る用紙搬送装置の第２の実施形態の要部構成を示す模式図である。
【図６】本発明に係る用紙搬送装置の第２の実施形態の要部構成を示す模式図である。
【図７】本発明に係る用紙搬送装置の第３の実施形態の要部構成を示す模式図である。
【図８】図７の用紙搬送装置におけるガイド板の要部構成を示す斜視図である。
【発明を実施するための形態】
【００１０】
まず、本発明の概念について説明する。図１は、本発明の用紙搬送装置の概念図である。用紙搬送装置は、用紙の両面に画像を形成する際に、画像形成部に前記用紙を搬送してその片面に画像を形成し、当該用紙を反転させて再度、画像形成部に搬送する機構を備えている。図１に示すように、用紙搬送装置において、再搬送ローラ対１における第１再搬送ローラ１ａ及び第２再搬送ローラ１ｂが相互に接触してニップが形成されている。このニップに用紙Ｓが挿通された際、第１再搬送ローラ１ａ及び第２再搬送ローラ１ｂは、それぞれ、用紙Ｓの非画像形成面及び画像形成面に接触する。用紙Ｓの先端がこのニップを抜けると、用紙Ｓは、湾曲ガイド２の外郭側のガイド部材２ａに沿って搬送方向を変えて案内されて搬送される。このとき、用紙Ｓの画像形成面に付着したトナー粒子が、搬送ローラ対１の第２再搬送ローラ１ｂに転移してしまう。また、第２搬送ローラ１ｂに転移したトナー粒子は、第１再搬送ローラ１ａに再転移することがある。ところで、湾曲ガイド板２の外郭側のガイド部材２ａと再搬送ローラ対１との間に、蝶番３ａを支点として回動可能な用紙押さえ部材３が設けられている。
【００１１】
この用紙押さえ部材３は、図示しないバネ部材により、搬送経路を狭める方向（図１における内郭側のガイド部材２ｂに近づく方向）に付勢されている。用紙Ｓの後端が、再搬送ローラ対１の再搬送方向上流側に設けられたセンサ４を通過後に再搬送ローラ対1のニップを通過する前に、図示しない駆動源によって、用紙押さえ部材３を図１における点線位置から実線位置へ回動させて変位させる。言い換えると、用紙押さえ部材３を、用紙後端が通る外郭側の搬送経路を狭くする方向に変位させる。駆動源は、センサ４の検出信号に応じて起動される。変位後の用紙押さえ部材３は、依然として、図示しないバネ部材により、搬送経路を狭める方向（図１における内郭側のガイド部材２ｂに近づく方向）に付勢されている。
【００１２】
上記反転搬送路において剛性の強い用紙Ｓを搬送した場合、再搬送ローラ対１のニップに挟まれつつ弯曲ガイド２で強制的にその姿勢が変えられた用紙Ｓが、再搬送ローラ対１のニップから開放されたとき元に戻ろうとする力が生じる。この場合、再搬送ローラ対１のニップから開放された用紙Ｓの後端が、姿勢変化に抗って用紙押さえ部材３の押圧力（バネ部材による付勢力）で押さえ込まれるので、弯曲ガイド２の湾曲部外郭側に跳ね上がるのを抑えることが出来る。そのため、用紙後端がトナーの転移した再搬送ローラ対１のいずれにも接触することなく用紙Ｓを搬送することができ、用紙後端の汚れ発生を防ぐことが可能である。なお、用紙押さえ部材３は、用紙後端が例えば弯曲ガイド２の出口に設けられた図示しないセンサで検出されたとき、このセンサからの検出信号に応じて起動される駆動源により元の位置（図１における点線で示されている位置）に戻される。
【００１３】
また、用紙押さえ部材３の変位後の用紙Ｓと接する先端３ｂの位置を、再搬送ローラ対２０のニップ延長線Ｎ上でニップに近接した位置に設定する。それにより、用紙後端がニップから抜けても、強制的に姿勢が変えられた用紙形状を開放することなく、用紙後端が常に用紙押さえ部材に沿って搬送される。そのため、用紙の跳ね上がりを押さえ、かつスムーズに用紙を搬送することが可能となる。
【００１４】
以下、本発明の実施形態について説明する。
【００１５】
（第１の実施形態）
図２は、本発明の用紙搬送装置を用いた画像形成装置の構成を示す模式図である。同図において、画像形成装置は、電子写真方式を用いる複写機であり、次に挙げる装置を備えている。すなわち、画像形成装置は、画像形成部としての作像装置（感光体、帯電装置、現像装置、転写装置、クリーニング装置等を含む）５を主要部として備えている。また、画像形成装置は、主要部として転写材（記録媒体）の反転排出装置６、読み取り装置７、書き込み装置８、給紙装置９、および定着装置１０も備えている。
【００１６】
画像形成装置では、読み取り装置７の図示しない原稿載置台上に載置された原稿が読み取られる。読み取られた原稿画像は、画像情報に変換され、この画像情報に応じた作像装置５での画像形成処理に用いられる。
【００１７】
作像装置５では、画像情報に基づき書き込み装置８により感光体１１に対して静電潜像が形成され、静電潜像が現像装置１２により可視像処理されてトナー像を形成される。トナー像は、給紙装置９から供給される用紙に静電転写され、定着装置１０により定着される。
【００１８】
給紙装置９から供給される用紙は、矢印１３で示すように、作像装置５に向け搬送され、感光体１１に対するレジストタイミングを設定されたうえで転写装置によりトナー像が転写される。
【００１９】
転写後の用紙は、定着装置１０で定着された後、排紙トレイ１４に向けて排出される場合と反転排出装置６に向け搬送される場合が選択される。
【００２０】
反転排出装置６では、用紙を反転させて排紙トレイ１４へ排出するか、もしくは、用紙を反転させて再度作像装置５側の像担持体である感光体１１に向け循環搬送することが可能である。
【００２１】
用紙は、定着装置１０で定着された後、画像形成装置外へ（すなわち、排紙トレイ１４へ）ストレート（通常）に排出される場合は、排紙ローラ１５を通ってそのまま装置外へ搬送される。
【００２２】
また、用紙は、反転排出装置６へ搬送される場合は、矢印１６で示す経路に沿って搬送される。この場合、矢印１６で示す経路で搬送された用紙は、搬送ローラ対１９を介して反転ローラ２９へ搬送される。反転ローラ２９は、正逆転可能なローラであり、矢印１６で示す経路で搬送された、片面に画像が形成された用紙を反転させてスイッチバックさせる。
【００２３】
反転ローラ２９でスイッチバックされた用紙が装置外へ排出される際には、再搬送ローラ対２０を介して矢印１７で示す経路に沿って排紙ローラ１５へ搬送される。
【００２４】
また、用紙を反転させてその両面に画像形成するために作像装置５へ再循環搬送する場合は、反転ローラ２９でスイッチバックされた用紙が、再搬送ローラ対２０及び搬送ローラ対２１を介して、矢印１８で示す経路に沿って搬送される。この時、用紙は、再搬送ローラ対２０と搬送ローラ対２１の間に設けられた湾曲形状を有する反転搬送路を通過して搬送ローラ２１へ案内される。搬送ローラ２１を通過して面を反転された用紙は、再度、作像装置５における像担持体である感光体１１に向けて再循環搬送される。
【００２５】
図３は、本発明に係る用紙搬送装置の第１の実施形態の構成を示す模式図であり、図４は、図３の用紙搬送装置における反転排紙装置６の部分拡大図である。反転ローラ２９で反転されスイッチバックされた用紙は、再搬送ローラ対２０のニップに搬送される。再搬送ローラ対２０のニップを通過した用紙は、再搬送ローラ対２０の下流側で、搬送経路の湾曲部外側に配置された分岐爪２２によって、２つの異なる搬送経路に分岐されて搬送される。２つの異なる搬送経路は、用紙を反転させて両面に画像を形成させるために矢印１８に沿って画像形成部としての作像装置５へ搬送する搬送経路と、それ以外の例えば、用紙を反転させて排出させる矢印１７に沿って排出させる搬送経路である。
【００２６】
ところで、用紙を反転させて両面に画像を形成させる際、用紙は矢印１８に沿って搬送されるが、分岐爪２２は蝶番３ａで回動可能に支持されており、図示しない駆動源により所定の位置（点線位置）に固定されている。用紙後端が、再搬送ローラ対２０の上流側に配置されたセンサ２３を抜けた後、再搬送ローラ対２０のニップを抜ける前に、駆動源の駆動によって、分岐爪２２が再搬送ローラ対２０近傍の湾曲部の外側の搬送経路を狭くする方向へと変位する。変位後の分岐爪２２の位置は、実線で示されている。変位後の分岐爪２２は、図示しないバネ部材により、右回転する方向（搬送経路を狭くする方向）に付勢されている。
【００２７】
この結果、用紙が剛性の強い用紙の場合でも、用紙後端が再搬送ローラ対２０のニップを抜けた後、分岐爪２２で押さえ込まれるため、用紙が再搬送ローラ対２０のニップを抜ける際の用紙後端の跳ね上がりを防止することができる。それにより、用紙後端がトナーの転移した再搬送ローラ対２０と摺擦すること無くかつ用紙が用紙押さえ部材としての分岐爪２２が用紙の非画像形成面に接して搬送されるため、用紙後端の汚れを防止することが可能である。
【００２８】
以上説明したように、第１の実施形態では、用紙後端が再搬送ローラ対のニップを抜ける前に、搬送経路を狭くする方向に用紙押さえ部材が変位する。そのため、用紙先端の反転経路への案内を妨げることなく、かつ用紙の画像形成面を用紙押さえ部材が擦ることなく、剛性の強い用紙の後端跳ね上がりによる用紙後端の汚れを防止することが出来る。
【００２９】
また、分岐爪２２を用紙押さえ部材として働かせ、搬送経路を狭くする方向に押圧するようにしている。これにより、専用の用紙押さえ部材を設けないので、部品点数を増加させること無く用紙押さえ効果を発揮させることが可能となり、装置の煩雑化、コストアップを防ぐことが出来る。
【００３０】
なお、本実施形態において、搬送経路を狭める方向に付勢されている分岐爪２２の用紙押さえ力を変更可能とする押さえ力可変機構を設け、用紙押さえ力を紙種に応じて切り替えることも可能である。例えば、１８０Ｋ紙以上の場合は強、９０Ｋ紙の場合は中、７０Ｋ紙の場合は弱、５５Ｋ紙以下の場合は動作させないというように、紙種によって用紙押さえ力を変更する。それにより、剛性の弱い用紙のシワやジャム等の発生なしに、適切な用紙押さえ力で用紙を押さえ、用紙後端汚れの発生を防ぐことが可能である。
【００３１】
（第２の実施形態）
次に、本発明の第２の実施形態について説明する。図５及び図６は、本発明にかかる用紙搬送装置の第２の実施形態の要部構成を示す模式図である。なお、図５及び図６において、既述した第１の実施形態と同一の符号は、同一又は相当部分を示している。
【００３２】
図５において、用紙押さえ部材３は、図示しないバネ部材により、図１の場合と逆方向（搬送経路を広げる方向（図５における第２再搬送ローラから遠ざかる方向）に付勢されている。押圧部材２４は、第２の再搬送ローラ１ｂの軸を支点２４ｃとして回動可能であり、互いに連動するセンサアーム２４ａ及び押圧アーム２４ｂを備えている。センサアーム２４ａは、用紙の再搬送経路と交差する位置に配されている。このセンサアーム２４ａは、支点２４ｃから再搬送ローラ対１の上流側へ直線的に延びるアーム部２４ａ１と、アーム部２４ａ１から折り曲げられアーム部２４ａ１との間に凸部２４ａ２を形成して直線的に延びるセンサ部２４ａ３とからなる。また、押圧アーム２４ｂは、支点２４ｃから再搬送ローラ対１の下流側へ直線的に延びるアーム部２４ｂ１と、該アーム部２４ｂ１の先端に取り付けられ、用紙押さえ部材３を押圧する押圧部２４ｂ２とからなる。センサアーム２４ａは、図示しないバネ部材による付勢力によって、再搬送ローラ対１の上流側に設けられたガイド部材２７による搬送経路を狭くする方向、即ち、ガイド部材２７の上側ガイド板２７ａに近づく方向に付勢されている。それにより、押圧アーム２４ｂは、センサアーム２４ａと連動することによって、蝶番３ａを支点として回動可能な用紙押さえ部材３を搬送経路が狭くなる方向へと押圧している。
【００３３】
このような構成において、反転ローラ２９から反転搬送された用紙Ｓは、その先端がセンサアーム２４ａのセンサ部２４ａ３に当たり、そして、凸部２４ａ２を越えて再搬送ローラ対１へ搬送される。それにより、付勢力に勝る用紙Ｓからの押圧力によって、センサアーム２４ａは、付勢された方向とは逆向きの方向、即ち、図５の矢印２５の方向へと回動する。これに伴い、押圧アーム２４ｂが矢印方向へと回動するため、用紙押さえ部材３が解放されて搬送経路を広げる方向に変位する。それにより、用紙押さえ部材３は、用紙Ｓが再搬送ローラ対１のニップを通過して再搬送ローラ対１の下流へと搬送されるのを妨げることはない。
【００３４】
次に、図６に示すように、用紙Ｓの後端がセンサアーム２４ａの凸部２４ａ２を抜けると、センサアーム２４ａが付勢された方向に逆回動して元の位置に復帰するため、押圧部材２４は矢印２６の方向へ回動する。それにより、押圧アーム２４ｂが、バネ部材による付勢力に勝って用紙押さえ部材３を搬送経路が狭くなる方向へと押圧する。そのため、用紙Ｓの後端は、第１の搬送手段１のニップを抜けた後、用紙押さえ部材３に当たって押さえ込まれるので、用紙後端が跳ね上がって再搬送ローラ１と接触することがなくなる。それにより、用紙後端の汚れが防止される。
【００３５】
以上説明したように、第２の実施の形態では、押圧部材２４が用紙後端の通過を検出する用紙後端検出部として働き、この押圧部材２４と用紙押さえ部材３と、が連動して可動する。そのため、第１の実施形態における用紙押さえ部材専用のセンサ２３や駆動源や制御なしで効果を発揮させることが可能である。
【００３６】
（第３の実施形態）
図７は、本発明に係る用紙搬送装置の第３の実施形態の要部構成を示す模式図、図８は、図７の用紙搬送装置におけるガイド板の要部構成を示す斜視図である。反転搬送部では、搬送される用紙からの押圧力によって押圧部材２４を回動させている。しかし、搬送される用紙が剛性の弱い薄紙などの場合、センサアーム２４ａの付勢力に用紙先端が負けてしまい、用紙の座屈やジャムの発生が懸念される。そこで、第３の実施形態では、図７において、用紙がセンサアーム２４ａに当たる前に、用紙の再搬送方向の剛性を高めるための腰付け部材が備えられている。
【００３７】
図７の例では、再搬送ローラ対１の上流側に位置するガイド部材２７の下側のガイド板２７ｂが、搬送される用紙の搬送案内の役目とこの腰付け部材の役目とを兼任している。すなわち、ガイド板２７ｂには、搬送方向に平行なリブ２８が多数設けられている。このリブ２８は、ガイド板２７における、センサアーム２４ａのセンサ部２４ａ３の位置よりも上流側の範囲Ｌ１部分では、その高さが変化するように形成されている。このような構成のリブ２８により、用紙がガイド板２７ｂを通過する際変形され、用紙の再搬送方向の剛性を高められる。しかし、リブ２８は、ガイド板２７における、範囲Ｌ１部分より下流側のＬ２部分では、その高さが一定になるように形成されており、この部分では用紙の再搬送方向の剛性を高める効果はない。
【００３８】
図８は、ガイド板２７における、リブ２８の高さが変化する範囲Ｌ１部分のみを図示している。図８にしめすように、リブ２８は、ガイド板２７の中央部が一番低く、外側へ行くほど徐々に高くなるように形成されている。また、リブ２８は、その用紙搬送方向の先端側から再搬送ローラ１側へ進むにつれて徐々に高さが高くなるように傾斜がつけられている。このような形状のリブ２８によって、センサアーム２４ａのセンサ部２４ａ３に当たる手前で用紙に腰付けが行われる。それにより、用紙の腰が強くなるため、センサアーム２４ａからの付勢力に対抗できるため、センサ部２４ａ３に当たったときの用紙の座屈やジャムの発生を防ぐことができる。また、用紙をセンサアーム２４ａへ沿わせるように搬送する。それにより、用紙先端がセンサアーム２４ａを乗り越えやすくなるため、ジャムの発生を防ぐことができ、薄紙等の剛性の弱い用紙の場合でも、用紙搬送力によってセンサアーム２４ａを回動させることが可能である。
【００３９】
以上説明したように、第３の実施の形態では、センサ部２４ａ３に用紙が当たる前に、用紙の再搬送方向の剛性を高める腰付け部材を備えているから、センサ部２４ａ３に当たったときの用紙の座屈やジャムの発生を防ぐことができる。
【００４０】
以上の通り、本発明の実施形態について説明したが、本発明はこれに限らず、種々の変形、応用が可能である。かかる変形、応用によってもなお本考案の構成を具備する限り、勿論、本考案の範疇に含まれるものである。
【００４１】
たとえば、上記第３の実施形態では、腰付け部材として、再搬送ローラ対１（２０）の上流側のガイド板２７における、高さが変化するリブ２８を設けた下側ガイド板２７ｂを用いているが、これに限らず他の形態の腰付け部材を用いてもよい。
【符号の説明】
【００４２】
１，２０  再搬送ローラ対
１ａ，２０１  第１再搬送ローラ
１ｂ，２０２  第２再搬送ローラ
２        弯曲ガイド
３        用紙押さえ部材
６        反転排出装置
２２      分岐爪
２４      押圧部材（用紙後端検出部）
２４ａ    センサアーム
２４ｂ    押圧アーム
２７ｂ    ガイド板，腰付け部材
２９      反転ローラ
【先行技術文献】
【特許文献】
【００４３】
【特許文献１】特開２０１２−１４８８６４号公報
【図１】
2015016978.tif 000003
【図２】
2015016978.tif 000004
【図３】
2015016978.tif 000005
【図４】
2015016978.tif 000006
【図５】
2015016978.tif 000007
【図６】
2015016978.tif 000008
【図７】
2015016978.tif 000009
【図８】
2015016978.tif 000010